(57)【要約】【課題】アドホックネットワーク同士をつなぐ無線通信中継機同士の意図的な対応付け，および容易な接続を可能にする。【解決手段】無線通信を行う無線インタフェースと，ネットワークと通信を行うネットワークインタフェースと，無線インタフェースの通信とネットワークインタフェースとの通信を相互に変換する通信変換手段と，ネットワークインタフェースを通じて，所定の管理サーバに他の無線通信中継機のリスト要求を送信する接続先リスト要求送信手段と，ネットワークインタフェースを通じて，所定の管理サーバからの，他の無線通信中継機のリストを受信する接続先リスト受信手段と，受信した他の無線通信中継機のリストに含まれる少なくとも１台の無線通信中継機が指定された接続要求を，ネットワークインタフェースを通じて所定の管理サーバに送信する接続要求送信手段と，を備える無線通信中継機。【選択図】図２
2012160931.tif 000002
【特許請求の範囲】
【請求項１】
無線通信を行う無線インタフェースと，
ネットワークと通信を行うネットワークインタフェースと，
前記無線インタフェースの通信と前記ネットワークインタフェースとの通信を相互に変換する通信変換手段と，
前記ネットワークインタフェースを通じて，所定の管理サーバに他の無線通信中継機のリスト要求を送信する接続先リスト要求送信手段と，
前記ネットワークインタフェースを通じて，前記所定の管理サーバからの，前記他の無線通信中継機のリストを受信する接続先リスト受信手段と，
受信した前記他の無線通信中継機のリストに含まれる少なくとも１台の無線通信中継機が指定された接続要求を，前記ネットワークインタフェースを通じて前記所定の管理サーバに送信する接続要求送信手段と，
を備える無線通信中継機。
【請求項２】
所定のタイミングにて，自身の接続情報を前記所定の管理サーバに送信する接続情報送信手段をさらに備える請求項１に記載の無線通信中継機。
【請求項３】
無線通信を行う無線インタフェースと，
ネットワークと通信を行うネットワークインタフェースと，
前記無線インタフェースの通信と前記ネットワークインタフェースとの通信を相互に変換する通信変換手段と，
前記ネットワークインタフェースを通じて，所定の管理サーバより自身への接続要求の通知を受信する接続要求通知受信手段と，
受信した接続要求に対する許可を，前記ネットワークインタフェースを通じて，前記所定の管理サーバに送信する接続許可送信手段と，
前記受信した接続要求の送信元接続情報要求を，前記ネットワークインタフェースを通じて，前記所定の管理サーバに送信する接続情報要求送信手段と，
前記ネットワークインタフェースを通じて，前記所定の管理サーバより，前記送信元接続情報要求に対する応答としての接続情報を受信する接続情報受信手段と，
接続情報が受信されると，当該接続情報に基づいて，接続を行う接続手段と，
を備える無線通信中継機。
【請求項４】
所定のタイミングにて，自身の接続情報を前記所定の管理サーバに送信する接続情報送信手段をさらに備える請求項２に記載の無線通信中継機。
【請求項５】
無線通信を行う無線インタフェースと，
ネットワークと通信を行うネットワークインタフェースと，
前記無線インタフェースの通信と前記ネットワークインタフェースとの通信を相互に変換する通信変換手段と，
前記ネットワークインタフェースを通じて，所定の管理サーバに他の無線通信中継機のリスト要求を送信する接続先リスト要求送信手段と，
前記ネットワークインタフェースを通じて，前記所定の管理サーバからの，前記他の無線通信中継機のリストを受信する接続先リスト受信手段と，
受信した前記他の無線通信中継機のリストに含まれる少なくとも１台の無線通信中継機が指定された接続要求を，前記ネットワークインタフェースを通じて前記所定の管理サーバに送信する接続要求送信手段と，
前記ネットワークインタフェースを通じて，前記所定の管理サーバより自身への接続要求の通知を受信する接続要求通知受信手段と，
受信した接続要求に対する許可を，前記ネットワークインタフェースを通じて，前記所定の管理サーバに送信する接続許可送信手段と，
前記受信した接続要求の送信元接続情報要求を，前記ネットワークインタフェースを通じて，前記所定の管理サーバに送信する接続情報要求送信手段と，
前記ネットワークインタフェースを通じて，前記所定の管理サーバより，前記送信元接続情報要求に対する応答としての接続情報を受信する接続情報受信手段と，
接続情報が受信されると，当該接続情報に基づいて，接続を行う接続手段と，
を備える無線通信中継機。
【請求項６】
無線インタフェースとネットワークインタフェースとを備える無線通信中継機を，
前記無線インタフェースの通信と前記ネットワークインタフェースとの通信を相互に変換する通信変換手段と，
前記ネットワークインタフェースを通じて，所定の管理サーバに他の無線通信中継機のリスト要求を送信する接続先リスト要求送信手段と，
前記ネットワークインタフェースを通じて，前記所定の管理サーバからの，前記他の無線通信中継機のリストを受信する接続先リスト受信手段と，
受信した前記他の無線通信中継機のリストに含まれる少なくとも１台の無線通信中継機が指定された接続要求を，前記ネットワークインタフェースを通じて前記所定の管理サーバに送信する接続要求送信手段と，
前記ネットワークインタフェースを通じて，前記所定の管理サーバより自身への接続要求の通知を受信する接続要求通知受信手段と，
受信した接続要求に対する許可を，前記ネットワークインタフェースを通じて，前記所定の管理サーバに送信する接続許可送信手段と，
前記受信した接続要求の送信元接続情報要求を，前記ネットワークインタフェースを通じて，前記所定の管理サーバに送信する接続情報要求送信手段と，
前記ネットワークインタフェースを通じて，前記所定の管理サーバより，前記送信元接続情報要求に対する応答としての接続情報を受信する接続情報受信手段と，
接続情報が受信されると，当該接続情報に基づいて，接続を行う接続手段と，
して機能させるプログラム。
【発明の詳細な説明】
【技術分野】
【０００１】
本発明はネットワークを介して無線通信を転送する技術に関する。
【背景技術】
【０００２】
近年の携帯情報端末，たとえば携帯ゲーム端末は，ＩＥＥＥ８０２．１１規格のアドホックモードに代表される無線通信を用いることにより，端末同士で通信することが可能である。アドホックモードとは，特定の中継機を介することなく端末同士で直接無線通信することができる通信モードである。このような通信機能により，携帯ゲーム端末のユーザは，他のユーザと対戦ゲームを楽しんだり，コミュニケーションをとることができる。
当然のことであるが，アドホックモードによる無線通信は，電波の届く範囲でしか通信ができない。したがって，それぞれのユーザは電波の届く範囲，通常は数十メートルの範囲内に居合わせることが必要となる。しかし，これでは遠隔地のユーザと通信することができず，多くのユーザと通信することにより面白みが増す対戦ゲームなどの魅力を損ねる要因の１つとなっていた。このような問題を解決する１つの手段として特許文献１が開示されている。
【先行技術文献】
【特許文献】
【０００３】
【特許文献１】特開２００７−３７１２０号公報
【０００４】
特許文献１は，ピコネットと呼ばれるアドホック通信のネットワーク同士をつなぐブリッジ，およびこのブリッジを用いたシステムに関するものである。本文献では，アドホックネットワーク同士をつなぐブリッジの動作原理が開示されており，これを用いることで，遠隔地同士の携帯ゲーム端末をアドホックモードにて相互に通信させることが可能である。
しかし，これを実際に携帯ゲーム端末に適用しようとすると，一方の携帯ゲーム端末のユーザが，どのようにして相手方のユーザを特定するかが問題となる。つまり，アドホックネットワーク同士をつなぐ双方のブリッジが，予め何らかの手段にて関連付けられ，１対１にて通信できるようにしておく必要がある。
【発明の概要】
【発明が解決しようとする課題】
【０００５】
本願発明はかかる課題を解決するためのものである。すなわち，アドホックネットワーク同士をつなぐ無線通信中継機（特許文献１ではブリッジと称している）同士の意図的な対応付け，および容易な接続を可能にするものである。
【課題を解決するための手段】
【０００６】
本発明にかかる第１の実施形態は，無線通信を行う無線インタフェースと，ネットワークと通信を行うネットワークインタフェースと，無線インタフェースの通信とネットワークインタフェースとの通信を相互に変換する通信変換手段と，ネットワークインタフェースを通じて，所定の管理サーバに他の無線通信中継機のリスト要求を送信する接続先リスト要求送信手段と，ネットワークインタフェースを通じて，所定の管理サーバからの，他の無線通信中継機のリストを受信する接続先リスト受信手段と，受信した他の無線通信中継機のリストに含まれる少なくとも１台の無線通信中継機が指定された接続要求を，ネットワークインタフェースを通じて所定の管理サーバに送信する接続要求送信手段を備える無線通信中継機。
【０００７】
より好ましくは，所定のタイミングにて，自身の接続情報を所定の管理サーバに送信する接続情報送信手段をさらに備える。
【０００８】
本発明にかかる第２の実施形態は，無線通信を行う無線インタフェースと，ネットワークと通信を行うネットワークインタフェースと，無線インタフェースの通信とネットワークインタフェースとの通信を相互に変換する通信変換手段と，ネットワークインタフェースを通じて，所定の管理サーバより自身への接続要求の通知を受信する接続要求通知受信手段と，受信した接続要求に対する許可を，ネットワークインタフェースを通じて，所定の管理サーバに送信する接続許可送信手段と，受信した接続要求の送信元接続情報要求を，ネットワークインタフェースを通じて，所定の管理サーバに送信する接続情報要求送信手段と，  ネットワークインタフェースを通じて，所定の管理サーバより，送信元接続情報要求に対する応答としての接続情報を受信する接続情報受信手段と，接続情報が受信されると，当該接続情報に基づいて，接続を行う接続手段を備える無線通信中継機。
【０００９】
より好ましくは，所定のタイミングにて，自身の接続情報を所定の管理サーバに送信する接続情報送信手段をさらに備える。
【００１０】
本発明にかかる第３の実施形態は，無線通信を行う無線インタフェースと，ネットワークと通信を行うネットワークインタフェースと，無線インタフェースの通信とネットワークインタフェースとの通信を相互に変換する通信変換手段と，ネットワークインタフェースを通じて，所定の管理サーバに他の無線通信中継機のリスト要求を送信する接続先リスト要求送信手段と，ネットワークインタフェースを通じて，所定の管理サーバからの，他の無線通信中継機のリストを受信する接続先リスト受信手段と，受信した他の無線通信中継機のリストに含まれる少なくとも１台の無線通信中継機が指定された接続要求を，ネットワークインタフェースを通じて所定の管理サーバに送信する接続要求送信手段と，ネットワークインタフェースを通じて，所定の管理サーバより自身への接続要求の通知を受信する接続要求通知受信手段と，受信した接続要求に対する許可を，ネットワークインタフェースを通じて，所定の管理サーバに送信する接続許可送信手段と，受信した接続要求の送信元接続情報要求を，ネットワークインタフェースを通じて，所定の管理サーバに送信する接続情報要求送信手段と，ネットワークインタフェースを通じて，所定の管理サーバより，送信元接続情報要求に対する応答としての接続情報を受信する接続情報受信手段と，接続情報が受信されると，当該接続情報に基づいて，接続を行う接続手段を備える無線通信中継機。
【００１１】
本発明にかかる第４の実施形態は，無線インタフェースとネットワークインタフェースとを備える無線通信中継機を，無線インタフェースの通信とネットワークインタフェースとの通信を相互に変換する通信変換手段と，ネットワークインタフェースを通じて，所定の管理サーバに他の無線通信中継機のリスト要求を送信する接続先リスト要求送信手段と，ネットワークインタフェースを通じて，所定の管理サーバからの，他の無線通信中継機のリストを受信する接続先リスト受信手段と，受信した他の無線通信中継機のリストに含まれる少なくとも１台の無線通信中継機が指定された接続要求を，ネットワークインタフェースを通じて所定の管理サーバに送信する接続要求送信手段と，ネットワークインタフェースを通じて，所定の管理サーバより自身への接続要求の通知を受信する接続要求通知受信手段と，  受信した接続要求に対する許可を，ネットワークインタフェースを通じて，所定の管理サーバに送信する接続許可送信手段と，受信した接続要求の送信元接続情報要求を，ネットワークインタフェースを通じて，所定の管理サーバに送信する接続情報要求送信手段と，  ネットワークインタフェースを通じて，所定の管理サーバより，送信元接続情報要求に対する応答としての接続情報を受信する接続情報受信手段と，接続情報が受信されると，当該接続情報に基づいて，接続を行う接続手段として機能させるプログラム。
【発明の効果】
【００１２】
本願発明によれば，遠隔地にあるアドホックネットワーク同士を，任意の組み合わせで容易に接続することができる。
【発明を実施するための形態】
【００１３】
以下では図面を参照し本願発明に係る実施例を説明する。
［実施例１］
［システム全体図］
【００１４】
図１は本願発明にかかるシステム全体図である。無線通信中継機１０２（ａ），１０２（ｂ）はそれぞれインターネットを経由して接続されており，このインターネットには管理サーバ１０３も接続されている。それぞれの無線通信中継機１０２は，インターネットとの接続に用いる有線インタフェースに加え，無線のインタフェースも備えており，携帯無線端末１０１（ａ），１０２（ｂ）と無線による通信が可能である。なお，詳細は後述するが，無線通信中継機１０２（ａ）は接続要求側であり，無線通信中継機（ｂ）は接続許可側である。
［無線通信中継機の機能ブロック図（接続要求側）］
【００１５】
図２は無線通信中継機１０２（ａ）の機能ブロック図である。図からわかるとおり，無線通信中継機１０２（ａ）は，無線インタフェース２０１，有線インタフェース２０２およびそれぞれの通信を相互に変換する通信変換手段２０３を備える。なお，本実施例ではインターネット側の接続を有線インタフェースとしているが，無線インタフェースなど，どのような接続手段であってもよい。
【００１６】
接続先リスト要求送受信手段２０４は，携帯無線端末１０１（ａ）から送信された接続先リストの要求を受信し，これを管理サーバ１０３に送信するものである。接続先リストとは，具体的には接続許可側の無線通信中継機のリストである。図１では，これに相当するのは１台（無線通信中継機１０２（ｂ））しかないが，複数存在してもよい。
【００１７】
接続先リスト送受信手段２０５は，管理サーバ１０３から送信された接続先のリストを受信し，これを，前述の接続先リスト要求の応答として，携帯無線端末１０１（ａ）に送信するものである。
【００１８】
接続要求送受信手段２０６は，携帯無線端末１０１（ａ）からの接続要求を受信し，当該要求を管理サーバ１０３に送信するものである。ここで接続要求とは，接続許可側の無線通信中継機，すなわち無線通信中継機１０２（ｂ）に対する接続の要求である。
【００１９】
通信変換手段２０３は，それぞれのインタフェースに依存する部分のみを変換するものであり，実際のデータ（ペイロード）は何も手を加えずそのまま相互に通過させる。無線インタフェース２０１は携帯無線端末１０１（ａ）と通信するインタフェースであり，具体的には，ＩＥＥＥ８０２．１１のアドホックモードにて通信を行う。有線インタフェース２０５はインターネットと接続するインタフェースである。なお，インターネット側のインタフェースが有線以外の手段の場合も同様に，ペイロードを除くインタフェースに依存する通信のみを変換する。
［無線通信中継機の機能ブロック図（接続許可側）］
【００２０】
図３は無線通信中継機１０２（ｂ）の機能ブロック図である。なお，無線インタフェース２０１，有線インタフェース２０２および通信変換手段２０３は，接続要求側と同じであるため説明を省略する。
【００２１】
接続要求通知送受信手段３０１は，管理サーバ１０３を介して接続要求側の無線通信中継機１０２（ａ）から送信された接続要求の通知を受信し，これを携帯無線端末１０１（ｂ）に送信するものである。
【００２２】
接続許可送受信手段３０２は，携帯無線端末１０１（ｂ）から送信された接続許可を受信し，これを管理サーバ１０３に送信するものである。
【００２３】
接続情報要求送受信手段３０３は，接続要求側の無線通信中継機１０２（ａ）との接続に必要な情報の要求を携帯無線端末１０１（ｂ）から受信し，これを管理サーバ１０３に送信する。接続に必要な情報とは，具体的には，無線通信中継機１０２（ａ）のＩＰアドレスなど，接続に必要な情報のすべてを意味する。
【００２４】
接続情報受信手段３０４は，管理サーバ１０３から送信された接続情報を受信すると，これを接続手段３０５に通知し，接続手段３０５は，当該接続情報に基づいて接続要求側の無線通信中継器１０２（ａ）との直接接続を行うものである。この接続には，管理サーバ１０３は何ら関与しない。
［無線通信中継機フローチャート（接続要求側）］
【００２５】
図４は無線通信中継機１０２（ａ）の動作フローである。図に示す通り３つのフローにより構成されており，各動作は上述した機能ブロックが主体となって行う。ステップ４０１にて携帯無線端末１０１（ａ）からの接続先リスト要求を受信したかどうかを判定し，受信していればステップ４０２にて当該要求を管理サーバ１０３に送信する。
【００２６】
ステップ４１１にて管理サーバ１０３からの接続先リストを受信したかどうかを判定し，受信していればステップ４１２にて当該リストを携帯無線端末１０１（ａ）に送信する。
【００２７】
ステップ４２１にて携帯無線端末１０１（ａ）からの接続要求を受信したかどうかを判定し，受信していればステップ４２２にて当該要求を管理サーバ１０３に送信する。
［無線通信中継機フローチャート（接続許可側）］
【００２８】
図５は無線通信中継機１０２（ｂ）の動作フローである。図に示す通り５つのフローにより構成されており，各動作は上述した機能ブロックが主体となって行う。ステップ５０１にて，接続要求通知を受信したかどうかを判定し，受信していればステップ５０２にて当該通知を携帯無線端末１０２（ｂ）に送信する。
【００２９】
ステップ５１１にて，接続許可を受信したかどうかを判定し，受信していればステップ５１２にて当該許可を管理サーバ１０３に送信する。
【００３０】
ステップ５２１にて，接続情報要求を受信したかどうかを判定し，受信していればステップ５２２にて当該要求を管理サーバ１０３に送信する。
【００３１】
ステップ５３１にて，接続情報を受信したかどうかを判定し，受信していればステップ５３２にて当該情報を接続手段３０５に通知する。
【００３２】
ステップ５４１にて，接続情報受信手段３０４からの通知を受信したかどうかを判定し，受信していればステップ５４２にて無線通信中継機１０２（ａ）に対して直接接続を行う。
［シーケンス図］
【００３３】
図６は本願発明にかかるシステム全体のシーケンス図である。ステップ６０１にて，携帯無線端末１０１（ａ）は，無線通信中継機１０２（ａ）に向けて接続先リスト要求を送信する。当該要求は，携帯無線端末１０１（ａ）のユーザが他の携帯無線端末１０１（ｂ）に接続したい旨を示すものである。ステップ６０２にて，無線通信中継機１０２（ａ）は，受信した接続先リスト要求を管理サーバ１０３に送信する。
【００３４】
管理サーバ１０３は無線通信中継機のリストを保持しており，ステップ６０３にて，受信した接続先リスト要求に対する応答として当該リストを無線通信中継機１０２（ａ）に送信する。無線通信中継機１０２（ａ）は，ステップ６０４にて，管理サーバ１０３からの応答を携帯無線端末１０１（ａ）に送信する。
【００３５】
携帯無線端末１０１（ａ）は，受信した無線通信中継機１０２（ｂ）のリストをユーザに提示し，ステップ６０５にて，ユーザによって希望の接続先が選択される。携帯無線端末１０１（ａ）は，ステップ６０６にて，選択された接続先への接続を接続要求として無線通信中継機１０２（ａ）に送信する。ステップ６０７にて，無線通信中継機１０２（ａ）は，受信した当該要求を管理サーバ１０３に送信する。
【００３６】
ステップ６０８にて，管理サーバ１０３は，受信した接続要求を接続要求通知として接続許可側の無線通信中継機１０２（ｂ）に送信する。当該通知を受信した無線通信中継機１０２（ｂ）は，ステップ６０９にて，携帯無線端末１０１（ｂ）に当該通知を送信し，ユーザからの許可を待つ。
【００３７】
ステップ６１０にて，携帯無線端末１０１（ｂ）は，接続許可を無線通信中継機１０２（ｂ）に送信し，当該許可を受信した無線通信中継機１０２（ｂ）は，ステップ６１１にて，当該通知を管理サーバ１０３に送信する。
【００３８】
ステップ６１２にて，携帯無線端末１０１（ｂ）は，接続情報要求を無線通信中継機１０２（ｂ）に送信し，当該要求を受信した無線通信中継機１０２（ｂ）は，ステップ６１３にて，当該要求を管理サーバ１０３に送信する。
【００３９】
ステップ６１４にて，管理サーバ１０３は接続情報の要求のあった接続先の接続情報を無線通信中継機１０２（ｂ）に送信する。当該情報を受信した無線通信中継機１０２（ｂ）は，ステップ６１５にて，受信した接続情報に基づいて接続要求側の無線通信中継機１０２（ａ）と直接接続を行う。
【００４０】
ステップ６１６にて，無線通信中継機同士の接続が確立され，それぞれに無線接続している携帯無線端末１０１同士がアドホックモードにて通信可能となる。
［実施例２］
【００４１】
図７は本願発明の実施例２にかかる機能ブロック図である。図を参照して接続情報送信手段７０１が追加されている。当該手段は，無線通信中継機１０２（ｂ）の起動時に管理サーバ１０３に対して自己の接続情報を送信するものである。
【００４２】
図８は実施例２にかかるシーケンス図である。図を参照してステップ８０１〜８０３が追加されている。ステップ８０１にて無線通信中継機１０２（ｂ）が起動する。この起動タイミングは，図示したものである必要はなく，接続要求側の無線通信中継機１０２（ａ）からの接続先リスト要求（ステップ６０１）より前であれば，どのようなタイミングであってもよい。ステップ８０２にて，起動した無線通信中継機１０２（ｂ）の接続情報が管理サーバ１０３に送信される。ステップ８０３にて管理サーバ１０３は受信した接続情報を自身が備えるリストに登録する。
【００４３】
このように接続を許可する無線通信中継機１０２（ｂ）の起動時に自己の接続情報を管理サーバ１０３に送るようにすることで，予め管理サーバ１０３に無線通信中継機１０２（ｂ）の接続情報を登録しておく手間を省略することができる。
［実施例３］
【００４４】
実施例１および２では，無線通信中継機同士の接続を確立するまでの過程において，無線通信中継機１０２（ａ）および１０２（ｂ）と携帯無線端末１０１（ａ）および１０１（ｂ）との間で通信を行っていた。具体的には，接続要求側である無線通信中継機１０２（ａ）の場合，図６のステップ６０１，６０４および６０６の通信であり，接続許可側である無線通信中継機１０２（ｂ）の場合，ステップ６０９，６１０および６１２の通信である。これらの通信は本発明の実施に必ずしも必要でなく，本実施例で示すように無線通信中継機単体で行うことも可能である。
【００４５】
図９は本実施例における無線通信中継機１０２（ａ）の機能ブロック図である。図を参照して，タッチパネル９０１，接続先リスト要求送信手段９０２，接続先リスト受信手段９０３および接続要求送信手段９０４が本実施例の特徴となる機能である。
【００４６】
タッチパネル９０１は，接続先リストを要求する際に，ユーザがパネル上から選択・タッチ（決定）するものであり，パネル上のリスト要求ボタンがタッチされることによって，接続先リスト要求送信手段９０２は，管理サーバ１０３に当該要求を送信する。これにより図６のステップ６０１は不要となる。
【００４７】
接続先リスト受信手段９０３は，管理サーバ１０３から送信された接続先リストを受信し，当該リストをタッチパネル９０１に表示させる。これにより，図６のステップ６０４は不要となる。
【００４８】
接続要求送信手段９０４は，タッチパネル９０１上でユーザによって選択された接続先に対する接続要求を管理サーバ１０３に送信する。これにより，図６のステップ６０６は不要となる。
【００４９】
図１０は本実施例における無線通信中継機１０２（ｂ）の機能ブロック図である。図を参照して，タッチパネル９０１，接続要求通知受信手段１００１，接続許可送信手段１００２および接続情報要求送信手段１００３が本実施例の特徴となる機能である。
【００５０】
接続要求通知受信手段１００１は，管理サーバ１０３から送信された接続要求通知をタッチパネル９０１に表示させる。これにより図６のステップ６０９が不要となる。
【００５１】
接続許可送信手段１００２は，タッチパネル９０１上でユーザによって決定された接続許可を管理サーバ１０３に送信する。これにより図６のステップ６１０が不要となる。
【００５２】
接続情報要求送信手段１００３は，タッチパネル９０１上でユーザによって決定された接続情報要求を管理サーバ１０３に送信する。これにより図６のステップ６１２が不要となる。
【００５３】
本実施例によれば，携帯無線端末と無線通信中継機との間の通信を行うことなく，無線通信中継機単体で，相互に接続することができる。すなわち，予め，携帯無線端末と無線通信中継機との間の通信を確立しておく必要がなく，より簡単な操作で無線通信中継機同士の通信を確立することができる。
［その他の実施例］
【００５４】
これまでの実施例では，無線通信中継機を接続要求側と接続許可側に分類して説明したが，それぞれの機能を１つの無線通信中継機が併せ持つようにしてもよい。こうすることにより，１つの無線通信中継機が，あるときには接続要求側，あるときには接続許可側として機能することができる。
［総括］
【００５５】
本願発明によれば，遠隔地にあるアドホックネットワーク同士を，任意の組み合わせで容易に接続することができる。
【図面の簡単な説明】
【００５６】
【図１】システム全体図
【図２】実施例１の無線通信中継機の機能ブロック図（接続要求側）
【図３】実施例１の無線通信中継機の機能ブロック図（接続許可側）
【図４】無線通信中継機（接続要求側）の動作フロー
【図５】無線通信中継機（接続許可側）の動作フロー
【図６】実施例１のシーケンス図
【図７】実施例２の無線通信中継機の機能ブロック図（接続許可側）
【図８】実施例２のシーケンス図
【図９】実施例３の無線通信中継機の機能ブロック図（接続要求側）
【図１０】実施例３の無線通信中継機の機能ブロック図（接続許可側）
【符号の説明】
【００５７】
２０１  無線インタフェース
２０２  有線インタフェース
２０３  通信変換手段
９０２  接続先リスト要求送信手段
９０３  接続先リスト受信手段
９０４  接続要求送信手段
１００１  接続要求通知受信手段
１００２  接続許可送信手段
１００３  接続情報要求送信手段
【図１】
2012160931.tif 000003
【図２】
2012160931.tif 000004
【図３】
2012160931.tif 000005
【図４】
2012160931.tif 000006
【図５】
2012160931.tif 000007
【図６】
2012160931.tif 000008
【図７】
2012160931.tif 000009
【図８】
2012160931.tif 000010
【図９】
2012160931.tif 000011
【図１０】
2012160931.tif 000012